(57)【特許請求の範囲】
【請求項１】
扉用ロックハンドル装置１の止め金板２に連動装備された鎖錠ロッド３に装着され、鎖錠
ロッド３の進退動作によってボックス本体側の受金部４に接離する鎖錠ロッド用キャップ
５を、鎖錠ロッド３に嵌合される軟質樹脂製のインナーキャップ部材６と、インナーキャ
ップ部材６に嵌合される硬質樹脂製のアウターキャップ部材７とで構成し、
インナーキャップ部材６の内径を鎖錠ロッド３の外径よりも僅かに小さく形成し、インナ
ーキャップ部材６を鎖錠ロッド３に密着状態に被せることによって、鎖錠ロッド３からの
インナーキャップ部材６の抜脱を阻止する一方、
アウターキャップ部材７の基端部にアウターキャップ部材７の外面より内面に達する複数本の割溝部１９で区画された複数個の係止舌片８を突出形成し、各係止舌片８の先端部に制止爪９を内向きに突設し、インナーキャップ部材６の基端面６ａがアウターキャップ部材７の基端部内に制止爪９の長さ相当分だけ入り込むようにインナーキャップ部材６の長さを設定し、制止爪９をインナーキャップ部材６の基端面６ａに係合させることによって、インナーキャップ部材６からのアウターキャップ部材７の抜脱を阻止するようにした鎖錠ロッド用キャップ。
【発明の詳細な説明】
【技術分野】
【０００１】
本発明は、各種の電気機器収納用ボックス等に装備される扉用ロックハンドル装置の鎖錠
ロッド用キャップに関するものである。
【背景技術】
【０００２】
従来の扉用ロックハンドル装置では、扉に固着された本体ケースに操作ハンドルを起伏可
能に収容し、扉面と平行な水平軸によって操作ハンドルを本体ケースに枢着し、扉の裏面
側に突き出た本体ケースの背面壁部に止め金板を扉面に直角な水平軸によって枢着し、該
背面壁部の切欠き開口部から突出した操作ハンドルの基端部背面の駆動突子を止め金板の
受動カム孔に挿入し、止め金板の端部の受孔に鎖錠ロッドの基端部を挿入連結してあり、
操作ハンドルを本体ケースから引き出し回転させるときに、前記駆動突子で受動カム孔の
内壁面を押圧して止め金板を回動させ、この止め金板の回動によって鎖錠ロッドを後退駆
動させて、鎖錠ロッドの先端部分をボックス本体側の受金部から離脱させている（特許文
献１及び特許文献２参照）。
【０００３】
別の方式の扉用ロックハンドル装置では、扉に固着された本体ケースに操作ハンドルを起
伏可能に収容し、扉面に対し直角に本体ケースに連設した軸受筒部にロック軸を収容し、
扉面と平行は横断軸によってロック軸の前端部を操作ハンドルの基端部に枢着し、軸受筒
部から突出したロック軸の後端部に止め金板を固着し、止め金板の端部の受孔に鎖錠ロッ
ドの基端部を挿入連結してあり、操作ハンドルを本体ケースから引き出してロック軸を回
転させることによって、鎖錠ロッドを後退駆動させ、鎖錠ロッドの先端部分をボックス本
体側の受金部から離脱させている（特許文献３参照）。
【０００４】
これらの扉用ロックハンドル装置では、鎖錠ロッドの先端部分をボックス本体側の受金部
に当接させることによって、扉をボックス本体に対して錠止しているのであるが、いずれ
も金属製の鎖錠ロッドと受金部が直接摺接するため、受金部や鎖錠ロッドの塗装面に剥離
損傷が起こりやすく、また、振動音が発生しやすい。
【０００５】
塗装の剥離防止や振動音の発生抑制のために樹脂製のキャップを鎖錠ロッドの先端部分に
嵌めることが既に提案されているが、単に嵌めただけでは受金部との係脱を繰り返すうち
にキャップが鎖錠ロッドから抜脱してしまうことがあり、キャップの取付構造を工夫する
必要がある。
【０００６】
一例のキャップ取付構造では、鎖錠ロッドに直径方向のピン孔を穿設し、キャップの基端
部の受孔を通して前記ピン孔にスプリングピンを挿入することによって、キャップが鎖錠
ロッドから抜脱するのを阻止している。
別例のキャップ取付構造では、鎖錠ロッドの先端部分の外周面に環状受溝を形成し、キャ
ップの基端部に係止片を突出形成し、該係止片の先端部に内向きに制止爪を突設し、キャ
ップを鎖錠ロッドに嵌めた最終段階で前記制止爪を環状受溝に係合させることによって、
キャップが鎖錠ロッドから抜脱するのを阻止している。
【０００７】
更に別の例では、鎖錠ロッドと受金部との間の摩擦抵抗を一層減少させるために、キャッ
プの先端部に一対のローラユニットを設けているが、このキャップの取付構造は、鎖錠ロ
ッドに直径方向のピン孔を穿設し、キャップの基端部の受孔を通して該ピン孔にスプリン
グピンを挿入するものとなっている（特許文献４参照）。
【０００８】
上記したいずれの取付構造においても、鎖錠ロッドに対する孔明け加工や溝切り加工とい
った機械加工が必要であるため、作業性が悪くコストアップの要因となっている。また、
キャップは軟質樹脂製であるため、過分の負荷がかかると金属との擦れによってキャップ
が破れてしまうという問題もあった。
【０００９】
【特許文献１】実公昭５１-４９２７６号公報
【特許文献２】実公昭５６-３４９４号公報
【特許文献３】特許第２６４０６２６号公報
【特許文献４】特許第２５２４９５６号公報
【発明の開示】
【発明が解決しようとする課題】
【００１０】
本発明の課題は、鎖錠ロッドに対する機械加工が一切不要であるため、作業性が良く、コ
ストアップとならないと共に、過分の負荷がかかってもキャップが破れる危険性もない鎖
錠ロッド用キャップを提供することである。
【課題を解決するための手段】
【００１１】
本発明の主たる特徴は、扉用ロックハンドル装置１の止め金板２に連動装備された鎖錠ロッド３に装着され、鎖錠ロッド３の進退動作によってボックス本体側の受金部４に接離する鎖錠ロッド用キャップ５を、鎖錠ロッド３に嵌合される軟質樹脂製のインナーキャップ部材６と、インナーキャップ部材６に嵌合される硬質樹脂製のアウターキャップ部材７とで構成し、インナーキャップ部材６の内径を鎖錠ロッド３の外径よりも僅かに小さく形成し、インナーキャップ部材６を鎖錠ロッド３に密着状態に被せることによって、鎖錠ロッド３からのインナーキャップ部材６の抜脱を阻止する一方、アウターキャップ部材７の基端部にアウターキャップ部材７の外面より内面に達する複数本の割溝部１９で区画された複数個の係止舌片８を突出形成し、各係止舌片８の先端部に制止爪９を内向きに突設し、インナーキャップ部材６の基端面６ａがアウターキャップ部材７の基端部内に制止爪９の長さ相当分だけ入り込むようにインナーキャップ部材６の長さを設定し、制止爪９をインナーキャップ部材６の基端面６ａに係合させることによって、インナーキャップ部材６からのアウターキャップ部材７の抜脱を阻止するようにしたことである。
【発明の効果】
【００１２】
本発明の鎖錠ロッド用キャップでは、内径が鎖錠ロッド３の外径よりも僅かに小さく形成
されたインナーキャップ部材６を鎖錠ロッド３に密着状態に被せてあるため、鎖錠ロッド
３からのインナーキャップ部材６の抜脱が的確に阻止される一方、アウターキャップ部材７の基端部にアウターキャップ部材７の外面より内面に達する複数本の割溝部１９によって区画された複数個の係止舌片８を突出形成し、各係止舌片８の先端部に制止爪９を内向きに突設し、インナーキャップ部材６の基端面６ａがアウターキャップ部材７の基端部内に制止爪９の長さ相当分だけ入り込むようにインナーキャップ部材６の長さを設定し、制止爪９をインナーキャップ部材６の基端面６ａに係合させてあるため、インナーキャップ部材６からのアウターキャップ部材７の抜脱も的確に阻止されており、結果としてキャップ５は鎖錠ロッド３に安定的に嵌合保持される。
このようにキャップ５の取付に当たって鎖錠ロッド３に対する孔明け加工や溝切り加工と
いった機械加工が何等必要ではないため、作業性が向上し、また、コストアップを招くこ
とがない。
また、受金部４に摺接するキャップ部分は、硬質樹脂製のアウターキャップ部材７である
ため、過分の負荷がかかっても破れたりする危険性が解消されている。
【実施例】
【００１３】
図示の実施例では、扉ロックハンドル装置１は、扉２１に固着された本体ケース１０に操
作ハンドル１１を起伏可能に収容し、扉面と平行な水平軸１２によって操作ハンドル１１
を本体ケース１０に枢着し、扉２１の裏面側に突き出た本体ケース１０の背面壁部に止め
金板２を扉面に直角な水平軸１３によって枢着し、該背面壁部の切欠き開口部から突出し
た操作ハンドル１１の基端部背面の駆動突子１４を止め金板２の受動カム孔１５に挿入し
、止め金板２の端部の受孔１６に鎖錠ロッド３の基端部を挿入連結したものである。
【００１４】
操作ハンドル１１を本体ケース１０から引き出し回転させると、駆動突子１５が受動カム
孔１５の内壁面を押圧して止め金板２を回動させ、この止め金板２の回動に連動して鎖錠
ロッド３が下方向に後退駆動させられ、キャップ５を嵌合保持した鎖錠ロッド２の先端部
分がボックス本体１７側の受金部４から離脱する。鎖錠ロッド３は止め金板２の両側の端
部に連動装備されている。本体ボックス１７には止め金板２の先端部が係脱する別の受金
部１８が設けられている。ボックス本体１７に対する扉２１の錠止は、上下２本の鎖錠ロ
ッド３，３と止め金板２の３箇所で行なわれている。
【００１５】
本実施例では、インナーキャップ部材６は軟質エラストマーで作製され、アウターキャッ
プ部材７は硬質のポリアセタールで作製されている。アウターキャップ部材７の係止片８
は狭い割溝部１９を挟んで等間隔に４個形成されている。アウターキャップ部材７をイン
ナーキャップ部材６に嵌合するとき、制止爪９がインナーキャップ部材６の先端部周面に
摺接することによって、前記各係止片８は外向きに若干撓曲される。アウターキャップ部
材７が所定長さに達するまでインナーキャップ部材６に被せられたとき、各制止爪９がイ
ンナーキャップ部材６の基端面６ａより突出するため、前記各係止片８は瞬時に弾性復元
してインナーキャップ部材６の基端面６ａに弾性係合する。この基端面６ａはインナーキ
ャップ部材６の中心軸線に対して直角な面に形成されている。
【００１６】
アウターキャップ部材７の先端部２０はテーパー状に形成されており、その誘導作用によ
って受金部４との係合が容易に行なわれるようになっている。
【図面の簡単な説明】
【００１７】
【図１】本発明の一実施例に係る鎖錠ロッド用キャップを適用した扉用ロックハンドル装置の正面図である。
【図２】図１の扉用ロックハンドル装置における鎖錠ロッド先端部分の拡大縦断面図である。
【図３】図２のＡ−Ａ線断面図である。
【図４】図１の鎖錠ロッド用キャップにおけるインナーキャップ部材の正面図である。
【図５】図４のインナーキャップ部材の底面図である。
【図６】図４のＢ−Ｂ線断面図である。
【図７】図１の鎖錠ロッド用キャップにおけるアウターキャップ部材の正面図である。
【図８】図７のアウターキャップ部材の平面図である。
【図９】図７のアウターキャップ部材の底面図である。
【図１０】図７のＣ−Ｃ線断面図である。
【符号の説明】
【００１８】
１  扉用ロックハンドル装置
２  止め金板
３  鎖錠ロッド
４  受金部
５  キャップ
６  インナーキャップ部材
６ａ  インナーキャップ部材の後端面
７  アウターキャップ部材
８  係止舌片
９  制止爪
１０  扉ロックハンドル装置の本体ケース
１１  操作ハンドル
１２  操作ハンドル用の水平軸
１３  止め金板用の水平軸
１４  駆動突子
１５  受動カム孔
１６  受孔
１７  ボックス本体
１８  止め金板用の受金部
１９  アウターキャップ部材の割溝部
２０  アウターキャップ部材のテーパー状先端部
２１  扉
【図１】
0004172800.tif 000002
【図２】
0004172800.tif 000003
【図３】
0004172800.tif 000004
【図４】
0004172800.tif 000005
【図５】
0004172800.tif 000006
【図６】
0004172800.tif 000007
【図７】
0004172800.tif 000008
【図８】
0004172800.tif 000009
【図９】
0004172800.tif 000010
【図１０】
0004172800.tif 000011